【手続補正書】
【提出日】平成18年2月20日(2006.2.20)
【手続補正１】
【補正対象書類名】明細書
【補正対象項目名】発明の名称
【補正方法】変更
【補正の内容】
【発明の名称】医用画像表示装置および医用画像表示方法
【手続補正２】
【補正対象書類名】明細書
【補正対象項目名】特許請求の範囲
【補正方法】変更
【補正の内容】
【特許請求の範囲】
【請求項１】  記憶媒体に保存されている医用画像データを読み込み、モニタ上に表示する医用画像表示装置であって、
前記モニタ上の画像表示領域を定めるための分割表示フォーマットを設定する分割表示フォーマット設定手段と、
前記分割表示フォーマット設定手段により設定された分割表示フォーマットに基づいて定められる画像表示領域に対して撮影画像を表示するモード、もしくは診断支援画像を表示するモードのいずれかを設定する表示モード設定手段と、
前記分割表示フォーマット設定手段で設定された分割表示フォーマットと、前記表示モード設定手段で設定されたモードとに基づいて、前記記憶媒体に保存されている医用画像データを読み込む画像読み込み手段と、
前記画像読み込み手段によって読み込まれた医用画像データに、表示用の画像処理を施す画像処理手段と、
前記画像処理手段によって画像処理された医用画像データに基づく画像を、前記分割表示フォーマット設定手段により設定された分割表示フォーマットに基づいて定められる画像表示領域に表示する画像表示手段とを具備することを特徴とする医用画像表示装置。
【請求項２】  前記画像表示手段によって表示された画像を切り替える画像切り替え手段を具備し、
前記画像読み込み手段は、前記画像切り替え手段による切り替え処理に従って医用画像データを読み込むことを特徴とする請求項１に記載の医用画像表示装置。
【請求項３】  前記分割表示フォーマット設定手段は、前記モニタの表示領域を分割して形成される複数の画像表示領域を前記分割表示フォーマットとして設定し、
前記表示モード設定手段は、前記分割表示フォーマット設定手段により設定された複数の画像表示領域それぞれに対して撮影画像を表示するモード、もしくは診断支援画像を表示するモードのいずれかを設定することを特徴とする請求項１または２に記載の医用画像表示装置。
【請求項４】  前記表示フォーマット設定手段で前記画像表示領域を２以上に分割することが設定されており、前記表示モード設定手段で少なくとも１つの画像表示領域に対して前記撮影画像を表示するモードが設定されており、かつ少なくとも１つの画像表示領域に対して前記診断支援画像を表示するモードが設定されている場合に、前記画像切り替え手段は、前記撮影画像が表示されている画像表示領域の撮像画像を切り替える際に、前記診断支援画像が表示されている画像表示領域の診断支援画像を、切り替え後の撮影画像と経時的に関係のある診断支援画像に連動して切り替えることを特徴とする請求項２に記載の医用画像表示装置。
【請求項５】  前記分割フォーマット設定手段によって表示されているそれぞれの画像表示領域が切り替わるのを禁止するための連動禁止フラグを具備し、
前記連動禁止フラグがオンになっている場合には、前記画像切り替え手段により前記撮像画像を切り替えても、前記診断支援画像が連動して切り替わることを禁止するようにしたことを特徴とする請求項４に記載の医用画像表示装置。
【請求項６】  前記記憶媒体に記憶されている医用画像データを先読みするプリフェッチ手段を具備し、
前記プリフェッチ手段は、前記分割表示フォーマット設定手段により設定されている分割表示フォーマットと、前記表示モード設定手段により設定されているモードとに基づいて、前記記憶媒体に記憶されている医用画像データを先読みする順番を決定し、上記決定した順番で前記医用画像データを先読みすることを特徴とする請求項１〜５の何れか１項に記載の医用画像表示装置。
【請求項７】  前記診断支援画像は、時間的に異なるタイミングで撮影された複数の撮影画像を差分処理した画像であることを特徴とする請求項１〜６の何れか１項に記載の医用画像表示装置。
【請求項８】  前記表示フォーマット設定手段により前記画像表示領域を２以上に分割することが設定されており、前記表示モード設定手段により前記撮影画像を表示するモードから前記診断支援画像を表示するモードへモードを変更することが設定されており、前記画像切り替え手段により前記撮影画像に連動して前記診断支援画像を切り替える場合には、前記画像表示手段は、前記診断支援画像の対象となる撮影画像に関する最新の診断支援画像を表示することを特徴とする請求項４〜７の何れか１項に記載の医用画像表示装置。
【請求項９】  記憶媒体に記憶された撮影画像と診断支援画像とのうちの少なくとも何れか一方をモニタの画面上に表示する医用画像表示装置であって、
前記モニタの画面内における画像表示領域を設定する表示領域設定手段と、
前記表示領域設定手段によって設定された画像表示領域に、撮影画像と診断支援画像の何れを表示するかを設定する表示画像設定手段と、
前記表示画像設定手段により設定された撮影画像または診断支援画像を前記記憶媒体から読み出して、前記表示領域設定手段により設定された画像表示領域に表示する画像表示手段とを具備することを特徴とする医用画像表示装置。
【請求項１０】  前記画像表示手段により表示された撮影画像または診断支援画像を別の画像に切り替える画像切り替え手段を具備し、
前記画像表示手段は、前記画像切り替え手段による切り替え処理に従って、撮影画像または診断支援画像を前記記憶媒体から読み出して表示することを特徴とする請求項９に記載の医用画像表示装置。
【請求項１１】  前記表示領域設定手段により複数の画像表示領域が設定されている場合に、前記表示画像設定手段は、前記複数の画像表示領域の少なくとも１つに前記撮影画像を表示し、残りの画像表示領域の少なくとも１つに前記表示する撮影画像と経時的に関連のある診断支援画像を表示することを設定することを特徴とする請求項９または１０に記載の医用画像表示装置。
【請求項１２】  記憶媒体に保存されている医用画像データを読み込み、モニタ上に表示する医用画像表示方法であって、
前記モニタ上の画像表示領域を定めるための分割表示フォーマットを設定する分割表示フォーマット設定ステップと、
前記分割表示フォーマット設定ステップにより設定された分割表示フォーマットに基づいて定められる画像表示領域に対して撮影画像を表示するモード、もしくは診断支援画像を表示するモードのいずれかを設定する表示モード設定ステップと、
前記分割表示フォーマット設定ステップで設定された分割表示フォーマットと、前記表示モード設定ステップで設定されたモードとに基づいて、前記記憶媒体に保存されている医用画像データを読み込む画像読み込みステップと、
前記画像読み込みステップによって読み込まれた医用画像データに表示用の画像処理を施す画像処理ステップと、
前記画像処理ステップによって画像処理された医用画像データに基づく画像を、前記分割表示フォーマット設定ステップにより設定された分割表示フォーマットに基づいて定められる画像表示領域に表示する画像表示ステップとを具備することを特徴とする医用画像表示方法。
【請求項１３】  記憶媒体に保存されている医用画像データを読み込み、モニタ上に表示することをコンピュータに実行させるコンピュータプログラムであって、
前記モニタ上の画像表示領域を定めるための分割表示フォーマットを設定する分割表示フォーマット設定ステップと、
前記分割表示フォーマット設定ステップにより設定された分割表示フォーマットに基づいて定められる画像表示領域に対して撮影画像を表示するモード、もしくは診断支援画像を表示するモードのいずれかを設定する表示モード設定ステップと、
前記分割表示フォーマット設定ステップで設定された分割表示フォーマットと、前記表示モード設定ステップで設定されたモードとに基づいて、前記記憶媒体に保存されている医用画像データを読み込む画像読み込みステップと、
前記画像読み込みステップによって読み込まれた医用画像データに表示用の画像処理を施す画像処理ステップと、
前記画像処理ステップによって画像処理された医用画像データに基づく画像を、前記分割表示フォーマット設定ステップにより設定された分割表示フォーマットに基づいて定められる画像表示領域に表示する画像表示ステップとをコンピュータに実行させることを特徴とするコンピュータプログラム。
【請求項１４】  請求項１３に記載のコンピュータプログラムを記録したことを特徴とするコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は、医用画像表示装置および医用画像表示方法に関し、特に、医用画像データに基づく画像を表示するために用いて好適なものである。
【手続補正４】
【補正対象書類名】明細書
【補正対象項目名】０００８
【補正方法】変更
【補正の内容】
【０００８】
【課題を解決するための手段】
本発明の医用画像表示装置は、記憶媒体に保存されている医用画像データを読み込み、モニタ上に表示する医用画像表示装置であって、前記モニタ上の画像表示領域を定めるための分割表示フォーマットを設定する分割表示フォーマット設定手段と、前記分割表示フォーマット設定手段により設定された分割表示フォーマットに基づいて定められる画像表示領域に対して撮影画像を表示するモード、もしくは診断支援画像を表示するモードのいずれかを設定する表示モード設定手段と、前記分割表示フォーマット設定手段で設定された分割表示フォーマットと、前記表示モード設定手段で設定されたモードとに基づいて、前記記憶媒体に保存されている医用画像データを読み込む画像読み込み手段と、前記画像読み込み手段によって読み込まれた医用画像データに表示用の画像処理を施す画像処理手段と、前記画像処理手段によって画像処理された医用画像データに基づく画像を、前記分割表示フォーマット設定手段により設定された分割表示フォーマットに基づいて定められる画像表示領域に表示する画像表示手段とを具備することを特徴としている。
また、本発明の医用画像表示装置は、記憶媒体に記憶された撮影画像と診断支援画像とのうちの少なくとも何れか一方をモニタの画面上に表示する医用画像表示装置であって、前記モニタの画面内における画像表示領域を設定する表示領域設定手段と、前記表示領域設定手段によって設定された画像表示領域に、撮影画像と診断支援画像の何れを表示するかを設定する表示画像設定手段と、前記表示画像設定手段により設定された撮影画像または診断支援画像を前記記憶媒体から読み出して、前記表示領域設定手段により設定された画像表示領域に表示する画像表示手段とを具備することを特徴としている。
更に、本発明の医用画像表示方法は、記憶媒体に保存されている医用画像データを読み込み、モニタ上に表示する医用画像表示方法であって、前記モニタ上の画像表示領域を定めるための分割表示フォーマットを設定する分割表示フォーマット設定ステップと、前記分割表示フォーマット設定ステップにより設定された分割表示フォーマットに基づいて定められる画像表示領域に対して撮影画像を表示するモード、もしくは診断支援画像を表示するモードのいずれかを設定する表示モード設定ステップと、前記分割表示フォーマット設定ステップで設定された分割表示フォーマットと、前記表示モード設定ステップで設定されたモードとに基づいて、前記記憶媒体に保存されている医用画像データを読み込む画像読み込みステップと、前記画像読み込みステップによって読み込まれた医用画像データに表示用の画像処理を施す画像処理ステップと、前記画像処理ステップによって画像処理された医用画像データに基づく画像を、前記分割表示フォーマット設定ステップにより設定された分割表示フォーマットに基づいて定められる画像表示領域に表示する画像表示ステップとを具備することを特徴としている。
また、本発明のコンピュータプログラムは、記憶媒体に保存されている医用画像データを読み込み、モニタ上に表示することをコンピュータに実行させるコンピュータプログラムであって、前記モニタ上の画像表示領域を定めるための分割表示フォーマットを設定する分割表示フォーマット設定ステップと、前記分割表示フォーマット設定ステップにより設定された分割表示フォーマットに基づいて定められる画像表示領域に対して撮影画像を表示するモード、もしくは診断支援画像を表示するモードのいずれかを設定する表示モード設定ステップと、前記分割表示フォーマット設定ステップで設定された分割表示フォーマットと、前記表示モード設定ステップで設定されたモードとに基づいて、前記記憶媒体に保存されている医用画像データを読み込む画像読み込みステップと、前記画像読み込みステップによって読み込まれた医用画像データに表示用の画像処理を施す画像処理ステップと、前記画像処理ステップによって画像処理された医用画像データに基づく画像を、前記分割表示フォーマット設定ステップにより設定された分割表示フォーマットに基づいて定められる画像表示領域に表示する画像表示ステップとをコンピュータに実行させることを特徴としている。
また、本発明のコンピュータ読み取り可能な記録媒体は、前記コンピュータプログラムを記録したことを特徴としている。